(57)【特許請求の範囲】
【請求項１】
拡大共役側から順に、負の屈折力を有する第１レンズ群と、正又は負の屈折力を有する後群を有し、各群の間隔を変化させてズーミングを行う光学系において、前記光学系は、開口絞りと、前記開口絞りより縮小共役側に配置された第１の正レンズを有しており、前記第１の正レンズの焦点距離をｆＧｚ、前記光学系全系の広角端における焦点距離をｆＷ、望遠端における焦点距離をｆＴ、前記第１の正レンズのｇ線、Ｆ線、ｄ線、Ｃ線に対する屈折率をそれぞれＮｇｚ、ＮＦｚ、Ｎｄｚ、ＮＣｚとし、該第１の正レンズの部分分散比θｇＦｚ、アッベ数νｄｚを
νｄｚ＝（Ｎｄｚ−１）／（ＮＦｚ−ＮＣｚ）
θｇＦｚ＝（Ｎｇｚ−ＮＦｚ）／（ＮＦｚ−ＮＣｚ）
とするとき、
０．７９６＜θｇＦｚ−（１．００×１０−４×νｄｚ２−９．１０×１０−３×νｄｚ）＜０．８６
１０＜νｄｚ＜３０
０．５＜ｆＧｚ／√（ｆＷ×ｆＴ）＜１．９
１．７７０７１≦Ｎｄｚ＜２．２
なる条件式を満足することを特徴とする光学系。
【請求項２】
前記開口絞りよりも縮小共役側に位置する負レンズのうち、ｄ線に関するアッベ数が最小の第１の負レンズのアッベ数をνＮｚｍｉｎ、前記第１の負レンズの焦点距離をｆＮｚとするとき、
【数１】
0005389288.tif 000008
を満足することを特徴とする請求項１に記載の光学系。
【請求項３】
前記第１の正レンズ以外で、前記開口絞りよりも縮小共役側に位置する正レンズのうちｄ線に対するアッベ数が最大の第２の正レンズのアッベ数をνＰｚｍａｘとするとき、
６５＜νＰｚｍａｘ＜９８
を満足することを特徴とする請求項１または２に記載の光学系。
【請求項４】
請求項１乃至３のいずれか１項に記載の光学系を有することを特徴とする光学機器。
【発明の詳細な説明】
【技術分野】
【０００１】
本発明は光学系に関し、特に銀塩フィルム用カメラ、デジタルスチルカメラ、ビデオカメラ等の撮影光学系や、プロジェクター等の投影光学系に好適な光学系に関する。
【背景技術】
【０００２】
近年、デジタル撮像機器において高画質化が進むと同時に撮像素子の小型化、特に１画素あたりのサイズ（面積）が小さくなってきている。これに伴い、撮像レンズにおいても従来に比べて諸収差がさらに低減された高性能なレンズが求められてきている。
【０００３】
従来から、広角化（広画角化）に有利なレンズ系として、レトロフォーカス型（ネガティブリード型）のレンズが知られている。このレトロフォーカス型レンズは、光学系の前方（カメラ等の撮影光学系では被写体側、プロジェクター等の投影光学系ではスクリーン側）に全体として負の屈折力のレンズ群を配置している。
【０００４】
また、後方（カメラ等の撮影光学系では像側、プロジェクター等の投影光学系では原画側）に正の屈折力のレンズ群を配置することで、短い焦点距離と長いバックフォーカスを実現している。
【０００５】
例えば特許文献１では、レトロフォーカス型の撮像光学系として、物体側から像側へ順に負の屈折力の第１レンズ群と正の屈折力の第２レンズ群を有する単一の焦点距離のレトロフォーカス型レンズが開示されている。
【０００６】
又、特許文献２では、レトロフォーカス型の投影光学系として、スクリーン側から原画側へ順に、負の屈折力の第１レンズ群と正の屈折力の第２レンズ群を有する単一の焦点距離のレトロフォーカス型レンズが開示されている。
【０００７】
又、特許文献３では、レトロフォーカス型の撮像光学系として、物体側から像側へ順に、負の屈折力の第１レンズ群と正の屈折力の第２レンズ群を有する単一の焦点距離のレトロフォーカス型レンズとズームレンズが開示されている。
【先行技術文献】
【特許文献】
【０００８】
【特許文献１】特開平０９−０３３８０１号公報
【特許文献２】特開平０６−０８２６８９号公報
【特許文献３】特開２００６−３０１４１６号公報
【発明の概要】
【発明が解決しようとする課題】
【０００９】
レトロフォーカス型レンズの収差補正上の問題点としては、負の屈折力のレンズ群が先行する非対称な屈折力配置のため、負の歪曲収差（樽型の歪曲収差）が発生しやすいということが挙げられる。
【００１０】
ここで、負の歪曲収差を低減するためには、負の屈折力のレンズ群内の負レンズの材料を高屈折率材料にすればよいが、一般的に高屈折率材料は高分散であるため、負の倍率色収差が発生しやすい。
【００１１】
特許文献１では、レトロフォーカス型のレンズにおいて、この倍率色収差を補正する方法として、負の屈折力の第１レンズ群内部や、その近傍のレンズ群に高分散ガラスを使用した正レンズを配置している。しかしながら、この方法では高次の倍率色収差が補正しきれず残存してしまうため、像高の高い部分（画角の大きな領域）になるにつれてｇ線の倍率色収差が正の方向に曲がり、過剰補正になる傾向があった。
【００１２】
特許文献２では、レトロフォーカス型のレンズにおいて、負の倍率色収差を補正する方法として、瞳近軸光線のレンズへの入射高（光軸からの距離）ｈが比較的高くなる開口絞りよりも後方に、異常部分分散を持った低分散材料の正レンズを配置している。しかしながら、この方法では高次の倍率色収差が補正しきれず残存してしまうため、像高の高い部分（画角の大きな領域）になるにつれてｇ線の倍率色収差が正の方向に曲がり、過剰補正になる傾向があった。
【００１３】
特許文献３はレトロフォーカス型のレンズにおいて、負の倍率色収差を補正する方法として、瞳近軸光線のレンズ面への入射高（光軸からの距離）ｈが比較的高くなる、開口絞りよりも後方のレンズ群に、異常部分分散を持った高分散な樹脂材料を用いている。しかしながら、樹脂材料であるためレンズ単体としてのパワーを大きく付けることができず、色収差以外の収差補正力が弱い。また、もしパワーをつけた場合であっても、屈折率が低いために基準波長の歪曲収差などの諸収差が残存してしまうので、これらを補正するためのレンズが別途必要であった。
【００１４】
そこで、本発明の目的は、画面内全体に渡って色収差を良好に補正することを可能にした、高い光学性能を有する光学系及びそれを有する光学機器を提供することである。
【課題を解決するための手段】
【００１５】
上記目的を達成するために、本発明の光学系は、拡大共役側から順に、負の屈折力を有する第１レンズ群と、正又は負の屈折力を有する後群を有し、各群の間隔を変化させてズーミングを行う光学系において、
前記光学系は、開口絞りと、前記開口絞りより縮小共役側に配置された第１の正レンズを有しており、
前記第１の正レンズの焦点距離をｆＧｚ、前記光学系全系の広角端における焦点距離をｆＷ、望遠端における焦点距離をｆＴ、前記第１の正レンズのｇ線、Ｆ線、ｄ線、Ｃ線に対する屈折率をそれぞれＮｇｚ、ＮＦｚ、Ｎｄｚ、ＮＣｚとし、該第１の正レンズの部分分散比θｇＦｚ、アッベ数νｄｚを
νｄｚ＝（Ｎｄｚ−１）／（ＮＦｚ−ＮＣｚ）
θｇＦｚ＝（Ｎｇｚ−ＮＦｚ）／（ＮＦｚ−ＮＣｚ）
とするとき、
０．７９６＜θｇＦｚ−（１．００×１０−４×νｄｚ２−９．１０×１０−３×νｄｚ）＜０．８６
１０＜νｄｚ＜３０
０．５＜ｆＧｚ／√（ｆＷ×ｆＴ）＜１．９
１．７７０７１≦Ｎｄｚ＜２．２
を満足することを特徴とする光学系。
【発明の効果】
【００１６】
本発明によれば、色収差を良好に補正し、高い光学性能を有する光学系及びそれを有する光学機器を提供することができる。
【図面の簡単な説明】
【００１７】
【図１】参考例１の物体距離無限遠時におけるレンズ断面図
【図２】参考例１の物体距離１．６ｍ時における縦収差図
【図３】実施例１の投影距離無限遠時におけるレンズ断面図
【図４】実施例１の投影距離１．３５ｍ時、広角端における縦収差図
【図５】実施例１の投影距離１．３５ｍ時、中間のズーム位置における縦収差図
【図６】実施例１の投影距離１．３５ｍ時、望遠端における縦収差図
【図７】実施例２の投影距離無限遠時におけるレンズ断面図
【図８】実施例２の投影距離２．５ｍ時、広角端における縦収差図
【図９】実施例２の投影距離２．５ｍ時、中間のズーム位置における縦収差図
【図１０】実施例２の投影距離２．５ｍ時、望遠端における縦収差図
【図１１】実施例３の物体距離無限遠時におけるレンズ断面図
【図１２】実施例３の物体距離１．２ｍ時、広角端における縦収差図
【図１３】実施例３の物体距離１．２ｍ時、中間のズーム位置における縦収差図
【図１４】実施例３の物体距離１．２ｍ時、望遠端における縦収差図
【図１５】実施例４の投影距離無限遠時におけるレンズ断面図
【図１６】実施例４の投影距離１．３５ｍ時、広角端における縦収差図
【図１７】実施例４の投影距離１．３５ｍ時、中間のズーム位置における縦収差図
【図１８】実施例４の投影距離１．３５ｍ時、望遠端における縦収差図
【図１９】実施例５の物体距離無限遠時におけるレンズ断面図
【図２０】実施例５の物体距離１．２ｍ時、広角端における縦収差図
【図２１】実施例５の物体距離１．２ｍ時、中間のズーム位置における縦収差図
【図２２】実施例５の物体距離１．２ｍ時、望遠端における縦収差図
【図２３】実施例６の物体距離無限遠時におけるレンズ断面図
【図２４】実施例６の物体距離無限遠時、広角端における縦収差図
【図２５】実施例６の物体距離無限遠時、中間のズーム位置における縦収差図
【図２６】実施例６の物体距離無限遠時、望遠端における縦収差図
【図２７】本発明の撮像装置の説明図
【図２８】本発明の投影用装置の説明図
【図２９】本発明の撮像装置の説明図
【発明を実施するための形態】
【００１８】
以下に、本発明の好ましい実施の形態および参考例を、添付の図面に基づいて詳細に説明する。
【００１９】
本発明の実施例および参考例の光学系（結像光学系）は、単一焦点距離（単焦点）のレンズ系（参考例１）か、拡大共役側（拡大側）から順に、負の屈折力の第１レンズ群、正又は負の屈折力の第２レンズ群を有するズームレンズ（実施例１乃至６）である。
【００２０】
（タイプ１）
まず、以下に、参考例１の光学系（結像光学系）、すなわち単一焦点距離のレンズ系（単焦点レンズ）、について簡単に説明する。
【００２１】
参考例１の単一焦点距離のレンズ系（単焦点レンズ）は、開口絞りよりも縮小共役側に（縮小共役側に配置されたレンズユニット内に）、以下の条件を満足する第１の正レンズ（正レンズＡ）を有している。この第１の正レンズ（の材料）のｇ線（波長４３５．８ｎｍ）、Ｆ線（４８６．１ｎｍ）、ｄ線（５８７．６ｎｍ）、Ｃ線（６５６．３ｎｍ）に対する屈折率をそれぞれＮｇＲ，ＮｄＲ，ＮＦＲ，ＮＣＲとする。このとき、この正レンズの部分分散比θｇＦＲ、アッベ数νｄＲを
νｄＲ＝（ＮｄＲ−１）／（ＮＦＲ−ＮＣＲ）
θｇＦＲ＝（ＮｇＲ−ＮＦＲ）／（ＮＦＲ−ＮＣＲ）
と定義する。そして、この第１の正レンズの焦点距離をｆＧＲ、全系（結像光学系全系）の焦点距離をｆとするとき、この正レンズは、
０．７９＜θｇＦＲ−（１．００×１０−４×νｄＲ２−９．１０×１０−３×νｄＲ）＜０．８６  ・・・（１）
１０＜νｄＲ＜３０                                    ・・・（２）
０．５＜ｆＧＲ／ｆ＜１．９                            ・・・（３）
を満足する。
【００２２】
更に、開口絞りよりも縮小共役側（縮小側）に位置する負レンズの中で、ｄ線に関するアッベ数が最小の第１の負レンズのアッベ数をνＮＲｍｉｎ、また、この第１の負レンズの焦点距離をｆＮＲとするとき、
【００２３】
【数１】
0005389288.tif 000002
【００２４】
を満足する。
【００２５】
また、前述の正レンズは、
１．７＜ＮｄＲ＜２．２      ・・・（５）
を満足している。
【００２６】
更に、参考例１の結合光学系は、前記第１の正レンズ以外で、開口絞り（面）よりも縮小共役側に配置された正レンズのうち、アッベ数が最大の正レンズ（第２の正レンズ）のｄ線に関するアッベ数をνＰｍａｘとする。このとき、この第２の正レンズのアッベ数は、
６５＜νＰＲｍａｘ＜９８      ・・・（６）
を満足する。
【００２７】
また、上述したような単一焦点距離のレンズ系は、バックフォーカスが焦点距離よりも長いことが望ましい。ここで言うバックフォーカスとは、最も縮小共役側（縮小側）のレンズの縮小共役側の面から像面までの距離のことである。ここで、光路中にガラスブロック（プリズムやローパスフィルター等）がある場合には、その厚みを空気換算した値（ガラスブロックの厚みを空気に換算した値）とガラスブロック以外の空気中の距離とを合計した値がバックフォーカスである。
【００２８】
（タイプ２）
次に、本実施例の光学系（結像光学系）、すなわちズームレンズ系（ズームレンズ、変倍光学系）、について以下に簡単に説明する。
【００２９】
本実施例の結像光学系のズームレンズ系は、拡大共役側（拡大側）から順に、負の屈折力を有する第１レンズ群（第１レンズユニット）と、正又は負の屈折力を有する後群を有しており、各群の間隔を変化させてズーミングを行っている。ここで、開口絞り（開口絞り面）よりも縮小共役側に、第１の正レンズ（正レンズＡ）を備えており、この第１の正レンズが以下に記載する条件式（７）、（８）、（９）を満足する。ここでは、この第１の正レンズの（材料の）部分分散比をθｇＦｚ、アッベ数をνｄｚ、焦点距離をｆＧｚとし、更にこの結像光学系広角端における全系の焦点距離をｆＷ、望遠端における全系の焦点距離をｆＴとする。このとき、
０．７９６＜θｇＦｚ−（１．００×１０−４×νｄｚ２−９．１０×１０−３×νｄｚ）＜０．８６                                                   ・・・（７）
１０＜νｄｚ＜３０                                          ・・・（８）
０．５＜ｆＧｚ／√（ｆＷ×ｆＴ）＜１．９                     ・・・（９）
なる条件式を満足する。ここで、部分分散比やアッベ数に関しては、前述の（タイプ１）の中で記載した定義と同じである。すなわち、この第１の正レンズのｇ線（波長４３５．８ｎｍ）、Ｆ線（４８６．１ｎｍ）、ｄ線（５８７．６ｎｍ）、Ｃ線（６５６．３ｎｍ）に対する材料の屈折率をそれぞれＮｇｚ、ＮＦｚ、Ｎｄｚ、ＮＣｚとするとき、アッベ数νｄｚ、部分分散比θｇＦｚは、
νｄｚ＝（Ｎｄｚ−１）／（ＮＦｚ−ＮＣｚ）
θｇＦｚ＝（Ｎｇｚ−ＮＦｚ）／（ＮＦｚ−ＮＣｚ）
で表される。
【００３０】
このズームレンズ系は、最も拡大共役側に配置され、負の屈折力を持つ第１レンズ群と、この第１レンズ群よりも縮小共役側に配置され、正の屈折力を持つ第２レンズ群を含んでいる。前述の後群は、この第２レンズ群のみであっても構わない（第３実施例）し、第２レンズ群以外のレンズ群を含んでいても構わない。尚、このズームレンズ系の中で最も縮小共役側に配置されたレンズ群は、正の屈折力のレンズ群であることが望ましい。
【００３１】
ここで、前述の開口絞り（面）よりも縮小共役側に位置する負レンズの中で、ｄ線に対するアッベ数が最小の第１の負レンズのアッベ数をνＮｚｍｉｎ、この第１の負レンズの焦点距離をｆＮｚとするとき、
【００３２】
【数２】
0005389288.tif 000003
【００３３】
を満足することが望ましい。
【００３４】
また、前述の第１の正レンズが、
１．７７０７１≦Ｎｄｚ＜２．２      ・・・（１１）
を満足すると尚望ましい。
【００３５】
更に、前述の第１の正レンズ以外で、開口絞り（面）よりも縮小共役側に位置する正レンズの中でｄ線に関するアッベ数が最大の正レンズ（第２の正レンズ）のアッベ数をνＰｚｍａｘとするとき、
６５＜νＰｚｍａｘ＜９８      ・・・（１２）
を満足すると尚好ましい。
【００３６】
ここで、上記のような構成を採ることの意義（効果）について以下に説明する。
【００３７】
まず、本願発明の各実施例に記載したようなレトロフォーカス型の光学系は、開口絞り（面）の位置に対して、屈折力が非対称な構成である。このように屈折力が非対称な構成の光学系において広画角化を図ると、低次の歪曲収差と高次の歪曲収差の両方が発生しやすくなる。これは基準波長以外の波長にも言えることであり、倍率色収差についても低次と高次（色の歪曲収差）の両方が多く発生しやすい。
【００３８】
低次の歪曲収差、もしくは倍率色収差とは、近軸理論によるところの３次の収差係数として表されるものであり、高次の歪曲収差、もしくは倍率色収差とは５次以上の収差係数として表されるものである。
【００３９】
上述のような低次の収差が多く発生すると、像高変化による収差の変化量が大きくなってしまう。また高次の収差が多く発生すると、像高変化によって収差曲線に変曲点（大きな変曲点）が生じてしまい、収差曲線に曲がりが発生する。このような構成において諸収差を良好に補正するためには、各レンズ群のレンズ枚数を増やして設計の自由度を増加させれば良い。しかしながらレンズ枚数を増加させると、レンズ系全体が大型化すると共に、レンズ系が重くなってしまうというデメリットがある。
【００４０】
また、軸上色収差は各実施例のレトロフォーカス型の光学系の場合、光路中で軸上光束径が一番大きくなる開口絞り付近で発生しやすい。このような構成において軸上色収差を良好に補正（低減）するためには、開口絞り付近に正パワーでかつ標準線からの偏差（ΔθｇＦ）が正の値の異常部分分散特性を持つ材料を使用すれば良い。しかしながら、開口絞りよりも拡大共役側に正パワーでかつ標準線からの偏差（ΔθｇＦ）が正の値の異常部分分散特性を持つ材料を使用すると、軸上色収差は補正方向にあるが、倍率色収差は悪化する方向に働いてしまう。尚、ここで標準線とはθｇＦ＝−１．６２５×１０−３×νｄ＋０．６４２で表される直線のことである。
【００４１】
そこで、本願発明の各実施例および参考例においては、開口絞りＳＰより縮小共役側に条件式（１）〜（３）又は条件式（７）〜（９）を満足する正レンズＡ（第１の正レンズ）を設けている。
【００４２】
これにより、第１レンズ群Ｌ１で発生する諸収差、特にｇ線とＦ線の間の倍率色収差量の差を低減し、開口絞り面ＳＰ付近で発生する軸上色収差を補正している。また、このようなレンズ構成とすることで、光学系全体での軸上色収差と倍率色収差の発生量を画面全体に渡り低減させている。
【００４３】
次に、前述の各条件式の技術的意味についてより詳細に説明する。尚、条件式（１）〜（３）は条件式（７）〜（９）に対応しており、本願発明の実施例および参考例の結像光学系が、単焦点レンズ（単一の焦点距離を持つレンズ系）である場合と、変倍可能（ズーミング可能）なズームレンズである場合とに対応している。
【００４４】
条件式（１）、（７）は前述したレトロフォーカス型レンズにおいて、開口絞り面ＳＰより縮小共役側に配置した正レンズＡ（第１の正レンズ）の部分分散比に関する。条件式（１）、（７）の上限値を超える（上回る）と、部分分散比が大きくなり、軸上色収差量と倍率色収差量のそれぞれに関してｇ線とＦ線の間の差を低減させる効果はあるが、ｇ線とＣ線の間の差は広がってしまい、これを低減するのが難しくなる。そうなるとレンズ枚数を増加せざるを得なくなり、レンズ系全体が大型化し重くなってしまう。一方、条件式（１）、（７）の下限値を超える（下回る）と部分分散比が小さくなるため高次の色収差補正力が弱まる。このため残存した高次の色収差を低減（補正）するにはレンズ枚数を増加せざるを得なくなり、レンズ系全体が大型化し重くなってしまう。
【００４５】
条件式（１）、（７）は更に好ましくは次の如く設定するのが良い。
０．７９３＜θｇＦＲ−（１．００×１０−４×νｄＲ２−９．１０×１０−３×νｄＲ）＜０．８５        ・・・（１ａ）
０．７９６＜θｇＦｚ−（１．００×１０−４×νｄｚ２−９．１０×１０−３×νｄｚ）＜０．８５       ・・・（７ａ）
条件式（１）、（７）は更に好ましくは次の如く設定するのが良い。
０．７９６＜θｇＦＲ−（１．００×１０−４×νｄＲ２−９．１０×１０−３×νｄＲ）＜０．８４        ・・・（１ｂ）
０．７９６＜θｇＦｚ−（１．００×１０−４×νｄｚ２−９．１０×１０−３×νｄｚ）＜０．８４       ・・・（７ｂ）
【００４６】
条件式（２）、（８）は開口絞り面ＳＰより縮小共役側に配置した正レンズＡのアッベ数の値に関する。この条件式（２）、（８）の上限値を超えると低分散になるため、軸上色収差量と倍率色収差量のそれぞれに対してｇ線とＦ線との間の差を低減させる効果が小さくなってしまう。このため同様の効果を得るには正レンズＡに大きなパワーをつけなければならなくなり、他の諸収差の補正が困難となってしまう。一方、条件式（２）、（８）の下限値を超えると高分散になるため、軸上色収差量と倍率色収差量のそれぞれに対してｇ線とＦ線との間の差を低減させる効果は大きくなるが、ｇ線とＣ線との間の差が広がってしまい、これを補正することが困難になってしまう。そうなるとレンズ枚数を増加せざるを得なくなり、レンズ系全体が大型化し重くなってしまう。
【００４７】
条件式（２）、（８）は更に好ましくは次の如く設定するのが良い。
１５＜νｄＲ＜２９      ・・・（２ａ）
１５＜νｄｚ＜２９      ・・・（８ａ）
【００４８】
条件式（３）、（９）は開口絞り面ＳＰより縮小共役側に配置した正レンズＡの屈折力に関する。この条件式（３）、（９）の上限値を超えると、開口絞り面ＳＰより縮小共役側に配置した正レンズＡ（第１の正レンズ）の屈折力が弱くなるため、軸上色収差量と倍率色収差量のそれぞれに対してｇ線とＦ線との間の差を低減させる効果は小さくなる。このため残存した高次の色収差を補正するにはレンズ枚数を増加せざるを得なくなり、レンズ系全体が大型化し重くなってしまう。一方、条件式（３）、（９）の下限値を超えると、開口絞り面ＳＰより縮小共役側に配置した正レンズＡのパワーが強くなりすぎてしまい、軸上色収差量と倍率色収差量のそれぞれに対してｇ線とＣ線との間の差を補正することが困難となってしまうため良くない。
【００４９】
また、更なる光学性能の向上のためには条件式（３）、（９）の数値範囲は次のように
することが好ましい。
０．８＜ｆＧ／ｆ＜１．８５                          ・・・（３ａ）
０．８＜ｆＧｚ／√（ｆＷ×ｆＴ）＜１．８５            ・・・（９ａ）
【００５０】
各実施例および参考例によれば、以上のように各構成要件を特定することによって、レトロフォーカス型の結像光学系において画面内全体に渡って色収差の補正を良好に行うことができ、高画質の画像を得ることができる。
【００５１】
次に、条件式（４）、（１０）、条件式（５）、（１１）、また条件式（６）、（１２）を満足すれば、更に良好なる光学性能を得ることができる。
【００５２】
条件式（４）、（１０）は開口絞り面よりも縮小共役側の負レンズにおける色収差補正力に関する。条件式（４）、（１０）の上限値を超えると、開口絞り面よりも縮小共役側の負レンズにおける色収差補正力が弱くなるため、残存した色収差を補正するにはレンズ枚数を増加せざるを得なくなり、レンズ系全体が大型化し重くなってしまう。一方、条件式（４）、（１０）の下限値を超えると、開口絞り面よりも縮小共役側の負レンズの焦点距離がゼロになるため、バランスよく収差補正することが困難になる。
【００５３】
また、更なる光学性能の向上のためには条件式（４）、（１０）の数値範囲は次のようにすることが好ましい。
【００５４】
【数３】
0005389288.tif 000004
【００５５】
【数４】
0005389288.tif 000005
【００５６】
条件式（５）、（１１）は開口絞り面ＳＰより縮小共役側に配置した正レンズＡ（第１の正レンズ）の屈折率の値に関する。条件式（５）、（１１）の上限値を超える材料は光学部材として用いることが難しい。一方、条件式（５）、（１１）の下限値を超えると、基準波長における収差補正力（特に歪曲収差補正力）が弱くなるため、バランスよく諸収差を補正することが困難となってしまう。
【００５７】
条件式（５）、（１１）は更に好ましくは次の如く設定するのが良い。
１．７１＜ＮｄＲ＜２．０                            ・・・（５ａ）
１．７１＜Ｎｄｚ＜２．０                            ・・・（１１ａ）
【００５８】
条件式（６）、（１２）は開口絞り面よりも縮小共役側の正レンズにおける最大のアッベ数の値に関する。条件式（６）、（１２）の上限値を超えると、開口絞り面よりも縮小共役側の正レンズが低分散になりすぎて、色収差が過補正となってしまう。一方、条件式（６）、（１２）の下限値を超えると、開口絞り面よりも縮小共役側の正レンズが高分散になるため、バランスよく色収差を補正するにはレンズ枚数を増加せざるを得なくなり、レンズ系全体が大型化し重くなってしまう。
【００５９】
また、更なる光学性能の向上のためには条件式（６）、（１２）の数値範囲は次のように
することが好ましい。
７０＜νＰＲｍａｘ＜９６                ・・・（６ａ）
７０＜νＰｚｍａｘ＜９６                ・・・（１２ａ）
【００６０】
次に、各実施例および参考例の結像光学系の構成について図面を用いて詳細に説明する。
【００６１】
まず、各実施例および参考例のレンズ断面図について説明する。レンズ断面図において、ＬＡは結像光学系、ＳＰは開口絞り、Ｌ１は第１レンズ群、Ｌ２は第２レンズ群、Ｌ３は第３レンズ群、Ｌ４は第４レンズ群、Ｌ５は第５レンズ群、Ｌ６は第６レンズ群、ＬＦはフローティングレンズ群である。ＩＰは像面であり、固体撮像素子（光電変換素子）または液晶パネル（液晶表示装置）等の原画像（被投射画像）に相当している。
【００６２】
収差図において、ｄ、ｇは順に、ｄ線、ｇ線である。Ｍ、Ｓはメリディオナル像面、サジタル像面、倍率色収差はｇ線によって表している。ｆｎｏはＦナンバー、ωは半画角である。
【００６３】
収差図において、参考例１は、球面収差は０．４ｍｍ、非点収差は０．４ｍｍ、歪曲は２％、倍率色収差は０．０５ｍｍのスケールで描かれている。実施例１は、球面収差は０．２ｍｍ、非点収差は０．２ｍｍ、歪曲は２％、倍率色収差は０．０２ｍｍのスケールで描かれている。実施例２は、球面収差は０．４ｍｍ、非点収差は０．４ｍｍ、歪曲は２％、倍率色収差は０．０５ｍｍのスケールで描かれている。実施例３は、球面収差は０．４ｍｍ、非点収差は０．４ｍｍ、歪曲は５％、倍率色収差は０．０５ｍｍのスケールで描かれている。実施例４は、球面収差は０．２ｍｍ、非点収差は０．２ｍｍ、歪曲は２％、倍率色収差は０．０２ｍｍのスケールで描かれている。実施例５は、球面収差は０．４ｍｍ、非点収差は０．４ｍｍ、歪曲は５％、倍率色収差は０．０５ｍｍのスケールで描かれている。実施例６は、球面収差は０．１ｍｍ、非点収差は０．１ｍｍ、歪曲は５％、倍率色収差は０．０２ｍｍのスケールで描かれている。
【００６４】
尚、広角端及び望遠端は、それぞれ焦点距離が最も短い場合と、最も長い場合とに対応している。具体的には、広角端と望遠端は、実施例１乃至４及び実施例６においては、変倍用の第２レンズ群Ｌ２が機構上光軸方向に移動可能な範囲の両端に位置した場合を指し、実施例５においては第４レンズ群Ｌ４が移動可能な範囲の両端に位置した場合を指す。
【００６５】
（参考例１）
参考例１の結像光学系は、半画角が４０．９°の広画角レンズである。図１は、本発明の結像光学系の参考例１のレンズ断面図である。図２は参考例１の結像光学系の物体距離１．６ｍ（像面ＩＰからの距離である。以下同じ）のときにおける縦収差図である。
【００６６】
この参考例１の結像光学系ＬＡは、拡大共役側から順に、負の屈折力の第１レンズ群Ｌ１、正の屈折力のフローティングレンズ群ＬＦ、開口絞りＳＰ、正の屈折力の第２レンズ群Ｌ２を有する単一の焦点距離のレンズ系（単焦点レンズ）である。
【００６７】
第１レンズ群Ｌ１はフォーカスのためには不動である。フローティングレンズ群ＬＦは無限遠物体から近距離物体へのフォーカスの際にフローティングとして拡大共役側へ移動する。又第２レンズ群Ｌ２も無限遠物体から近距離物体へのフォーカスに際して拡大共役側へ移動する。このときフローティングレンズ群ＬＦと第２レンズ群Ｌ２の間隔が減少しつつ、各々を拡大共役側へ移動している。その際に開口絞りＳＰは第２レンズ群Ｌ２と一体に移動している。
【００６８】
又第２レンズ群Ｌ２中で、像面ＩＰに最も近い正レンズＡ（Ｎｄ＝１．７３０００，νｄ＝２６．０，θｇＦ＝０．６３５）は条件式（１）〜（３）を満足する。
【００６９】
参考例１において、第２レンズ群Ｌ２の縮小共役側にフォーカスに際して不動又は移動する１以上のレンズ群を有していても良い。
【００７０】
（実施例１）
実施例１は、広角端において半画角が３３．３°、望遠端において半画角が２２．９°、ズーム比１．５６のズームレンズである。図３は、本発明の結像光学系の実施例１の広角端におけるレンズ断面図である。図４、図５、図６はそれぞれ実施例１の結像光学系の物体距離１．３５ｍのときの広角端、中間のズーム位置、望遠端における縦収差図である。
【００７１】
この実施例１の結像光学系は、拡大共役側から順に、第１、２、３、４、５、６レンズ群を備えている。第１、２、３、４、５、６レンズ群Ｌ１〜Ｌ６は、負の屈折力、正の屈折力、正の屈折力、負の屈折力、正の屈折力、正の屈折力を有している。
【００７２】
第１レンズ群Ｌ１は、フォーカスに際して無限遠から近距離へのフォーカスに際して拡大共役側へ移動する。広角端から望遠端へのズーミングに際し、第１レンズ群Ｌ１と第６レンズ群Ｌ６は固定である。第２レンズ群Ｌ２と第３レンズ群Ｌ３と第４レンズ群Ｌ４と第５レンズ群Ｌ５は、広角端から望遠端へのズーミングに際して、拡大共役側へ移動し変倍、または変倍に伴う像面変動を補正するレンズ群である。
【００７３】
本実施例において第２、第３、第４、第５レンズ群Ｌ２、Ｌ３、Ｌ４、Ｌ５はズーミングに際して互いに独立に移動するレンズ群である。
【００７４】
また、第３レンズ群Ｌ３中には開口絞りＳＰを有しており、開口絞りＳＰよりも縮小共役側に配置された正レンズＡ（Ｎｄ＝１．７７０７１，νｄ＝２３．０，θｇＦ＝０．６６８）は条件式（７）〜（９）を満足する。
【００７５】
ＧＢは色合成プリズムや偏光フィルター、そしてカラーフィルター等のガラスブロックである。
【００７６】
（実施例２）
実施例２は、広角端において半画角が２７．９°、望遠端において半画角が１８．６°、ズーム比１．５８のズームレンズである。図７は、本発明の結像光学系の実施例２の広角端におけるレンズ断面図である。図８、図９、図１０はそれぞれ実施例２の結像光学系の物体距離２．５ｍのときの広角端、中間のズーム位置、望遠端における縦収差図である。
【００７７】
この実施例２の結像光学系は、拡大共役側から順に、負の屈折力の第１レンズ群Ｌ１、正の屈折力の第２レンズ群Ｌ２、正の屈折力の第３レンズ群Ｌ３、負の屈折力の第４レンズ群Ｌ４、正の屈折力の第５レンズ群Ｌ５を有する。
【００７８】
フォーカスに際しては、第１レンズ群Ｌ１内部のフォーカス群であるＬ１Ｆが無限遠から近距離へのフォーカスに際して拡大共役側へ移動する。広角端から望遠端へのズーミングに際し、第１レンズ群Ｌ１と第５レンズ群Ｌ５は固定である。第２レンズ群Ｌ２と第３レンズ群Ｌ３と第４レンズ群Ｌ４は、広角端から望遠端へのズーミングに際して、拡大共役側へ移動し変倍または変倍に伴う像面変動を補正するレンズ群である。尚、本実施例において第２、第３、第４レンズ群Ｌ２、Ｌ３、Ｌ４はズーミングに際して互いに独立に移動するレンズ群である。
【００７９】
また、第２レンズ群Ｌ２中には開口絞りＳＰを有しており、開口絞りＳＰよりも縮小共役側で、像面ＩＰに最も近い正レンズＡ（Ｎｄ＝１．７７０７１，νｄ＝２３．０，θｇＦ＝０．６６８）は条件式（７）〜（９）を満足する。
【００８０】
ＧＢは色合成プリズムや偏光フィルター、そしてカラーフィルター等のガラスブロックである。
【００８１】
（実施例３）
実施例３は、広角端において半画角が４０．５°、望遠端において半画角が２３．８５°、ズーム比１．９３のズームレンズである。図１１は、本発明の結像光学系の実施例３の広角端におけるレンズ断面図である。図１２、図１３、図１４はそれぞれ実施例３の結像光学系の物体距離１．２ｍのときの広角端、中間のズーム位置、望遠端における縦収差図である。
【００８２】
この実施例３の結像光学系は拡大共役側から順に、負の屈折力の第１レンズ群Ｌ１、正の屈折力の第２レンズ群Ｌ２を有する。無限遠から近距離へのフォーカスに際して、第１レンズ群Ｌ１が拡大共役側へ移動する。広角端から望遠端へのズーミングに際し、第１レンズ群Ｌ１と第２レンズ群Ｌ２が移動する。本実施例において第１、第２レンズ群Ｌ１、Ｌ２はズーミングに際して互いに独立に移動するレンズ群である。
【００８３】
また、第２レンズ群Ｌ２中には開口絞りＳＰを有しており、開口絞りＳＰよりも縮小共役側に配置された正レンズＡ（Ｎｄ＝１．７７０７１，νｄ＝２３．０，θｇＦ＝０．６６８）は条件式（７）〜（９）を満足する。
【００８４】
（実施例４）
実施例４は、広角端において半画角が３３．４°、望遠端において半画角が２３．０°、ズーム比１．５５のズームレンズである。図１５は、本発明の結像光学系の実施例４の広角端におけるレンズ断面図である。図１６、図１７、図１８はそれぞれ実施例４の結像光学系の物体距離１．３５ｍのときの広角端、中間のズーム位置、望遠端における縦収差図である。
【００８５】
この実施例４の結像光学系は拡大共役側から順に、第１〜６レンズ群を有する。この第１〜６レンズ群は、それぞれ負の屈折力、正の屈折力、正の屈折力、負の屈折力、正の屈折力、正の屈折力を有する。第１レンズ群Ｌ１はフォーカスに際して無限遠から近距離へのフォーカスに際して拡大共役側へ移動する。広角端から望遠端へのズーミングに際し、第１レンズ群Ｌ１と第６レンズ群Ｌ６は固定である。また、第２レンズ群Ｌ２と第３レンズ群Ｌ３と第４レンズ群Ｌ４と第５レンズ群Ｌ５は、広角端から望遠端へのズーミングに際して、拡大共役側へ移動し変倍または変倍に伴う像面変動を補正するレンズ群である。ここで、第２、第３、第４、第５レンズ群Ｌ２、Ｌ３、Ｌ４、Ｌ５は、ズーミングに際して互いに独立に移動するレンズ群である。
【００８６】
また、第３レンズ群Ｌ３中には開口絞りＳＰを有しており、開口絞りＳＰよりも縮小共役側に配置された正レンズＡ（Ｎｄ＝１．７７０７１，νｄ＝２３．０，θｇＦ＝０．６４５）は条件式（７）〜（９）を満足する。
【００８７】
ＧＢは色合成プリズムや偏光フィルター、そしてカラーフィルター等のガラスブロックである。
【００８８】
（実施例５）
この実施例５は、広角端において半画角が３９．８°、望遠端において半画角が２３．８°、ズーム比１．８８のズームレンズである。図１９は、本発明の結像光学系の実施例５の広角端におけるレンズ断面図である。図２０、図２１、図２２はそれぞれ実施例５の結像光学系の物体距離１．２ｍのときの広角端、中間のズーム位置、望遠端における縦収差図である。
【００８９】
この実施例５の結像光学系は拡大共役側から順に、負の屈折力の第１レンズ群Ｌ１、負の屈折力の第２レンズ群Ｌ２、正の屈折力の第３レンズ群Ｌ３、正の屈折力の第４レンズ群Ｌ４を有する。無限遠から近距離へのフォーカスに際して、第１レンズ群Ｌ１が拡大共役側へ移動する。広角端から望遠端へのズーミングに際し、第１レンズ群Ｌ１と第２レンズ群Ｌ２と第３レンズ群Ｌ３と第４レンズ群Ｌ４が移動する。本実施例において第１、第２、第３、第４、レンズ群Ｌ１、Ｌ２、Ｌ３、Ｌ４はズーミングに際して互いに独立に移動するレンズ群である。
【００９０】
また、本実施例の結像光学系は、第４レンズ群Ｌ４中に開口絞りＳＰを有しており、開口絞りＳＰよりも縮小共役側に配置された正レンズＡ（Ｎｄ＝１．７７０７１，νｄ＝２３．０，θｇＦ＝０．６６８）は条件式（７）〜（９）を満足する。
【００９１】
（実施例６）
実施例６は、広角端において半画角が３３．６°、望遠端において半画角が８．４０°、ズーム比４．４８のズームレンズである。図２３は、本発明の結像光学系の実施例６の広角端におけるレンズ断面図である。図２４、図２５、図２６はそれぞれ実施例６の結像光学系の物体距離無限遠のときの広角端、中間のズーム位置、望遠端における縦収差図である。
【００９２】
この実施例６の結像光学系は拡大共役側から順に、負の屈折力の第１レンズ群Ｌ１、負の屈折力の第２レンズ群Ｌ２、正の屈折力の第３レンズ群Ｌ３、正の屈折力の第４レンズ群Ｌ４を有する。無限遠から近距離へのフォーカスに際して、第４レンズ群Ｌ４が拡大共役側へ移動する。広角端から望遠端へのズーミングに際し、第２レンズ群Ｌ２と第３レンズ群Ｌ３と第４レンズ群Ｌ４が移動する。本実施例において第２、第３、第４、レンズ群Ｌ２、Ｌ３、Ｌ４はズーミングに際して互いに独立に移動するレンズ群である。
【００９３】
また、第３レンズ群Ｌ３中には開口絞りＳＰを有しており、開口絞りＳＰよりも縮小共役側に配置された正レンズＡ（Ｎｄ＝１．７７０７１，νｄ＝２３．０，θｇＦ＝０．６４５）は条件式（７）〜（９）を満足する。
【００９４】
以下に本発明の参考例１および実施例１乃至６に対応する数値例を示す。各数値例においてｆ、ｆｎｏ、２ωはそれぞれ無限遠物体に焦点を合わせたときの全系の焦点距離（ｍｍ）、Ｆナンバー、画角（度）を表している。
【００９５】
非球面形状は光軸方向にＸ軸、光軸と垂直方向にＨ軸、光の進行方向を正、Ｒを近軸曲率半径、ｋを離心率、Ａ、Ｂ、Ｃ、Ｄ、Ｅを各々非球面係数としたとき、
【００９６】
【数４】
0005389288.tif 000006
【００９７】
なる式で表している。
【００９８】
そして、前述の各条件式と数値実施例における諸数値との関係を（表−１）に示す。
【００９９】
（参考例１の数値例）
f=25.00  Fno=1.46  ２ω=81.8°
面番号       r        d      nd         vd       有効径
1        106.476    2.80   1.69680    55.5       52.62
2         34.237    7.20                         43.99
3        231.200    2.30   1.69680    55.5       43.78
4         36.544    5.48                         39.80
5        152.788    5.38   1.79952    42.2       39.73
6        -73.268    2.87                         39.50
7         52.697    3.50   1.84666    23.8       32.57
8        125.863    1.70   1.43875    95.0       31.14
9         25.660    7.10                         26.95
10          ∞       7.48                         24.90
11         55.654    7.30   1.80400    46.6       28.32
12        -44.368    2.00                         28.20
13       -160.594    1.48   1.75520    27.5       25.63 
14         83.004    3.13                         24.75
15          ∞       8.68                         24.10 絞り
16        -17.472    1.50   1.84666    23.8       22.79
17         42.214    6.75   1.60300    65.4       27.56
18*       -26.911    0.15                         28.33
19*      -160.623    6.00   1.43875    95.0       30.48
20        -24.626    0.15                         31.32
21       -273.831    7.25   1.73000    26.0       36.05θgF=0.635
22        -30.409                                 37.09
非球面データ
第18面
K = 0.00000e+000  A =0  B = 1.29928e-005  C = 9.54236e-009  D =-1.36553e-010
E = 3.48384e-013
第19面
K = 0.00000e+000  A =0  B = 3.56049e-007  C =-3.33936e-008  D = 7.24902e-011
E =-3.40933e-014
【０１００】
（実施例１の数値例）
f=18.55〜21.99〜28.98  Fno=1.85〜2.12〜2.60  ２ω=66.7°〜58.0°〜45.7°
面番号       r        d      nd         vd       有効径
1         37.239    2.20   1.69680    55.5       43.87
2         23.002    6.56                         37.42
3         48.303    1.75   1.69680    55.5       36.98
4         28.497    7.26                         34.14
5       -261.631    1.80   1.65844    50.9       33.83
6         81.947    2.32                         33.30
7*      1439.991    3.60   1.52996    55.8       33.39
8*       486.971  (可変)                         33.22
9        239.472    5.95   1.54814    45.8       30.54
10        -45.702    0.00                         30.25
11          ∞       0.16                         28.73 フレアカット
12         78.411    3.37   1.67270    32.1       27.90
13       -608.645    2.21                         26.93
14        -57.473    2.20   1.65844    50.9       26.14
15       -138.642  (可変)                         25.55
16          ∞       0.44                         22.17 絞り
17         69.302    2.57   1.56384    60.7       22.18
18        -80.870  (可変)                         22.08
19         35.058    1.00   1.72342    38.0       19.91
20         22.105  (可変)                         19.04
21        -21.344    1.35   1.84666    23.8       18.65
22         42.312    5.55   1.49700    81.5       20.21
23        -26.437    0.15                         21.37
24        114.268    4.00   1.77071    23.0       24.64 θgF=0.668
25        -41.575    1.00   1.83400    37.2       25.24
26       3021.028    0.46                         26.56
27       1189.872    6.47   1.49700    81.5       27.01
28        -26.116  (可変)                         28.24
29         64.844    3.50   1.83400    37.2       35.08
30       -881.733    2.52                         34.95
31          ∞      30.00   1.51633    64.1       34.16
32          ∞      21.00   1.69680    55.5       28.37
33          ∞                                    24.75
非球面データ
第7面
K = 4.92437e+003  A =0  B = 2.00194e-005  C =-4.37081e-008  D = 8.87604e-011
E =-1.81134e-013
第8面
K = 0.00000e+000  A =0  B = 1.23110e-005  C =-3.65955e-008  D = 3.61352e-011
E =-6.55099e-014  F =-7.73723e-017
可変間隔      焦点距離        18.55      21.99      28.98
d8                            32.02      23.41      12.51
d15                            33.58      30.24      21.77
d18                            2.17       6.61       16.09
d20                            6.19       7.90        6.93
d28                            8.94       14.81       25.67
【０１０１】
（実施例２の数値例）
f=48.85〜62.70〜77.00  Fno=2.50〜2.85〜3.20  ２ω=55.86°〜44.88°〜37.18°
面番号       r        d      nd         vd       有効径
1        145.968    9.40   1.80440    39.6       81.35
2      -1917.291    0.25                         78.66
3         66.996    4.00   1.48749    70.2       61.78
4         33.183   15.04                         49.38
5       -101.584    2.50   1.48749    70.2       47.68
6         36.013    6.32                         40.60
7         50.072    4.50   1.60562    43.7       39.45
8        129.707  (可変)                         38.52
9*        83.077    4.40   1.64000    60.1       29.73
10       -128.042    7.00                         29.69
11          ∞     (可変)                         28.32 絞り
12       -253.928    7.30   1.77250    49.6       26.71
13        -34.913    2.20   1.74077    27.8       26.54
14       -104.388  (可変)                         27.52
15         94.595    5.45   1.83400    37.2       28.77
16       -138.906    1.69                         29.12
17*       -64.950    1.80   1.62004    36.3       29.12
18         53.965  (可変)                         30.10
19        -57.656    3.00   1.84666    23.8       34.60
20        102.653   11.30   1.48749    70.2       39.74
21        -62.527    0.25                         45.01
22      -2569.051    6.10   1.78800    47.4       49.98
23        -97.611    0.25                         51.60
24         99.183   10.40   1.77071    23.0       56.50 θgF=0.668
25       -212.253    5.00                         56.78
26          ∞      46.25   1.51633    64.1       56.11
27          ∞                                    53.18
非球面データ
第9面
K =-6.03718e-001  A =0  B = 2.23798e-007  C =-1.13330e-009  D = 3.04999e-012
第17面
K = 1.93656e-003  A =0  B = 1.30289e-007  C =-1.61419e-009  D = 5.48305e-012
可変間隔        焦点距離        48.85      62.70      77.00
d8                              38.51      21.05      7.80
d11                             9.62       12.27      12.56
d14                             0.76       7.11       18.60
d18                             10.90      19.35      20.83
【０１０２】
（実施例３の数値例）
f=25.33〜38.00〜48.94  Fno=3.33〜3.99〜4.68  ２ω=81.00°〜59.31°〜47.70°
面番号       r        d      nd         vd       有効径
1         56.834    1.71   1.67790    55.3       32.66
2*        13.901    7.75                         25.12
3       -193.910    1.44   1.49700    81.5       24.73
4        270.130    3.14                         24.00
5         25.360    2.02   1.80518    25.4       21.49
6         35.590  (可変)                         20.72
7         28.635    3.33   1.60300    65.4       16.34
8       -115.304    1.80                         16.24
9          ∞       3.00                         15.87 絞り
10         22.783    5.93   1.72342    38.0       15.12
11        -15.437    1.10   1.80440    39.6       13.95
12         18.193    0.77                         12.70
13         25.657    2.66   1.56384    60.7       12.72
14        -23.393    0.99   1.84666    23.8       12.59
15*        37.011    2.24                         13.65
16       -116.115    2.04   1.77071    23.0       15.53 θgF=0.668
17        -29.139    2.01                         16.38
18        -83.544    2.80   1.48749    70.2       18.78
19        -26.938                                 19.74
非球面データ
第2面
K =-7.74650e-001  A =0  B = 2.09451e-005  C = 1.23678e-008  D = 2.76193e-010
第15面
K =-5.17403e+000  A =0  B = 2.07003e-005  C =-1.16063e-007  D = 6.03801e-010
可変間隔        焦点距離        25.33      38.00        48.94
d6                              22.78      7.49         0.65
【０１０３】
（実施例４の数値例）
f=18.48〜22.08〜28.72  Fno=1.85〜2.14〜2.59  ２ω=66.86°〜57.84°〜46.03°
面番号       r        d      nd         vd       有効径
1         37.239    2.20   1.69680    55.5       43.86
2         23.002    6.56                         37.40
3         48.303    1.75   1.69680    55.5       36.95
4         28.497    7.26                         34.11
5       -261.631    1.80   1.65844    50.9       33.79
6         81.947    2.32                         33.25
7*      1439.991    3.60   1.52996    55.8       33.33
8*       486.971  (可変)                         33.15
9        333.596    5.95   1.54814    45.8       30.29
10        -44.132    0.00                         30.03
11          ∞       0.16                         28.48 フレアカット
12         76.624    3.37   1.67270    32.1       27.65
13       -480.607    2.21                         26.70
14        -56.252    2.20   1.65844    50.9       25.87
15       -147.599  (可変)                         25.62
16          ∞       0.44                         22.38 絞り
17         70.805    2.57   1.56384    60.7       22.26
18        -74.898  (可変)                         22.10
19         35.978    1.00   1.72342    38.0       19.99
20         22.021  (可変)                         19.10
21        -20.977    1.35   1.84666    23.8       18.79
23         40.494    5.21   1.49700    81.5       20.48
24        -25.615    0.15                         21.37
25        108.832    3.95   1.77071    23.0       24.10 θgF=0.645
26        -35.285    1.00   1.83400    37.2       24.58
27      -2464.726    0.58                         26.01
28        539.494    6.43   1.49700    81.5       26.68
29        -25.906  (可変)                         27.86
30         69.790    3.50   1.83400    37.2       34.04
31       -749.699    2.52                         33.89
32          ∞      30.00   1.51633    64.1       33.17
33          ∞      21.00   1.69680    55.5       27.96
34          ∞                                    24.71
非球面データ
第7面
K = 4.92437e+003  A =0  B = 2.00194e-005  C =-4.37081e-008  D = 8.87604e-011
E =10=-1.81134e-013
第8面
K = 0.00000e+000  A =0  B = 1.23110e-005  C =-3.65955e-008  D = 3.61352e-011
E =-6.55099e-014  F =-7.73723e-017
可変間隔        焦点距離    18.48        22.08        28.72
d8                          32.51        23.27        12.54
d15                         33.50        30.53        23.27
d18                         2.36         6.74         15.47
d20                         5.93         7.53         6.73
d29                         8.98         15.21        25.26
【０１０４】
（実施例５の数値例）
f=26.00〜38.00〜49.00  Fno=3.40〜4.00〜4.69  ２ω=79.53°〜59.31°〜47.65°
面番号       r        d      nd         vd       有効径
1         73.076    1.71   1.67790    55.3       33.05
2*        15.692  (可変)                         26.21
3        292.757    1.44   1.49700    81.5       25.37
4         79.391  (可変)                         24.53
5         27.747    3.21   1.80518    25.4       22.55
6         38.472  (可変)                         21.11
7         27.578    3.91   1.60300    65.4       15.92
8       -136.604    1.80                         15.73
9          ∞       3.00                         15.38 絞り
10         22.526    5.98   1.72342    38.0       14.65
11        -14.755    1.10   1.80440    39.6       13.44
12         16.902    0.75                         12.23
13         23.509    2.90   1.56384    60.7       12.58
14        -22.244    0.99   1.84666    23.8       13.02
15*        42.923    2.24                         14.16
16        -85.538    2.50   1.77071    23.0       15.91 θgF=0.668
17        -26.906    1.50                         17.07
18        -75.154    2.54   1.48749    70.2       19.05
19        -27.909                                 19.90
非球面データ
第2面
K =-7.94601e-001  A =0  B = 1.16488e-005  C = 3.23331e-008  D = 7.35835e-011
第15面
K =-5.94583e+000  A =0  B = 1.76388e-005  C =-1.53351e-007  D = 5.88307e-010
可変間隔        焦点距離        26.00      38.00      49.00
d2                              7.50       7.02       6.82
d4                              3.14       4.03       4.07
d6                              22.78      7.55       0.67
【０１０５】
（実施例６の数値例）
f=5.45〜13.02〜24.22  Fno=2.80〜4.00〜5.60  ２ω=66.45°〜30.67°〜16.77°
面番号       r        d      nd         vd       有効径
1       -878.603    1.45   1.77250    49.6       20.54
2*        12.326    3.32                         17.48
3          ∞      16.00   1.83400    37.2       17.39
4          ∞       0.40                         14.99
5         44.900    2.01   1.84666    23.8       14.71
6       1088.182  (可変)                         14.28
7*       -53.810    0.68   1.49700    81.5       13.97
8         22.270    0.34                         13.50
9         14.863    2.10   1.84666    23.8       13.51
10         20.295  (可変)                         12.83
11          ∞       0.50                          8.98 絞り
12*        11.113    3.90   1.77250    49.6        9.39
13        -22.537    0.50   1.61293    37.0        8.78
14         37.864    2.78                          8.41
15        100.000    0.50   1.72151    29.2        7.44
16          5.000    1.70   1.76200    40.1        6.98
17*         9.447    0.50                          6.72
18          9.613    1.00   1.48749    70.2        6.80
19         56.662  (可変)                          6.73
20*        32.558    1.50   1.77071    23.0        9.00 θgF=0.645
21        -23.688    0.90   1.77250    49.6        8.96
22        -23.670  (可変)                          8.93
23          ∞       1.28   1.51633    64.1       20.00
24          ∞                                    20.00
非球面データ
第2面
K = 0.00000e+000  A =0  B = -4.76782e-005  C = -1.33978e-006  D = 1.87321e-008
E = -1.43601e-010
第7面
K = 0.00000e+000  A =0  B = -4.04618e-005  C = -3.22721e-007  D = 9.56895e-009
E = -1.77075e-010
第12面
K = 0.00000e+000  A =0  B = -1.25054e-005  C = -2.08374e-007  D = -5.06991e-009
E = -3.83585e-011
第17面
K = 0.00000e+000  A =0  B = 3.09708e-004  C = 4.27334e-006  D = 1.39680e-008
E = 2.88779e-009
第20面
K = 0.00000e+000  A =0  B = -1.55949e-004  C = 9.47994e-006  D = -5.56983e-007
E = 1.14305e-008
可変間隔        焦点距離      5.45      13.02      24.22
d6                            1.16      14.00      3.00
d10                          32.98     5.39       1.64
d19                          10.65     26.36      42.08
d22                          4.00      3.04       2.08
【０１０６】
【表１】
0005389288.tif 000007
【０１０７】
次に、本発明の結像光学系を撮像装置（カメラシステム）に適用した実施形態について説明する。図２７が、本発明の結像光学系を一眼レフカメラの撮像光学系に適用した実施例の要部概略図である。図２７において、１０は参考例１および実施例１乃至６の撮像光学系１と、この撮像光学系１を保持する鏡筒２とを有する撮影レンズである。２０はカメラ本体である。このカメラ本体２０は、撮像レンズ１０からの光束を上方に反射するクイックリターンミラー３、撮像レンズ１０の像形成位置に配置された焦点板４、焦点板４に形成された逆像を正立像に変換するペンタダハプリズム５を有している。更に、その変換された正立像を観察するための接眼レンズ６等を有している。また、カメラ本体内の７は感光面であり、ＣＣＤセンサやＣＭＯＳセンサ等の固体撮像素子（光電変換素子）や銀塩フィルムが配置される。この撮像装置において撮像を行う際（撮影時）には、クイックリターンミラー３が光路から退避して、感光面７上に撮影レンズ１０によって像が形成される。
【０１０８】
次に、本発明の結像光学系を画像投射装置（プロジェクター）の投影光学系（投射レンズ、投影レンズ）に適用した実施形態を図２８を用いて説明する。
【０１０９】
同図は本発明の結像光学系を３板式のカラー液晶プロジェクターに適用し複数の液晶表示素子に基づく複数の色光の画像情報を色合成手段を介して合成し、投射用レンズでスクリーン面上に拡大投射する画像投射装置を示している。図２８においてカラー液晶プロジェクター１００は、Ｒ（赤色光）、Ｇ（緑色光）、Ｂ（青色光）の３枚のパネル５Ｒ、５Ｇ、５ＢからのＲＧＢの各色光を色合成手段としてのプリズム２００で１つの光路に合成している。ここで、色合成手段としては一つのプリズム２００を図示しているが、この限りでは無く複数のプリズム（ダイクリイックプリズムや、偏光ビームスプリッター等）を用いても構わない。この色合成手段によって合成した色光（カラー画像情報を持つ光）を、前述した結像光学系１を持つ投射レンズ３００を用いてスクリーン（被投射面）４００に投影している。
【０１１０】
次に、本発明の結像光学系（特に実施例６に示したようなズームレンズ）を撮像光学系として用いたデジタルスチルカメラの実施形態について図２９を用いて説明する。この図２９において、２０はカメラ本体、２１は撮像光学系、２２はカメラ本体に内蔵され、撮影光学系２１によって形成された被写体像を受光するＣＣＤセンサやＣＭＯＳセンサ等の固体撮像素子（光電変換素子）である。２３は固体撮像素子２２によって光電変換された被写体像に対応する情報を記録するメモリである。２４は液晶ディスプレイパネル等によって構成され、固体撮像素子２２上に形成された被写体像を観察するためのファインダーである。
【０１１１】
このように参考例１および実施例１乃至６の結像光学系を一眼レフカメラやデジタルカメラ、プロジェクター等に適用することにより、高い光学性能を有する光学機器を実現することができる。
【０１１２】
以上、本発明の好ましい実施形態について説明したが、本発明はこれらの実施形態に限定されず、その要旨の範囲内で種々の変形及び変更が可能である。例えば、参考例１および実施例１乃至６において、第１レンズ群Ｌ１の物体側又は／及び最も像側のレンズ群の像側にコンバーターレンズやアフォーカル系等のレンズ群を配置しても良い。
【０１１３】
以上のような本発明の各実施例によれば、画面全体に渡って色収差を補正し、高い光学性能を持った結像光学系や、画面全体に渡って色収差を補正し画質の高い画像を投射可能な画像投射装置や、良好な画質で被写体を撮影できる撮像装置を得ることができる。
【符号の説明】
【０１１４】
Ｌ１  第１レンズ群
Ｌ２  第２レンズ群
Ｌ３  第３レンズ群
Ｌ４  第４レンズ群
Ｌ５  第５レンズ群
Ｌ６  第６レンズ群
ＬＦ  フローティングレンズ群
ＳＰ  開口絞り
ＩＰ  像面
ＧＢ  ガラスブロック
Ｓ  サジタル像面
Ｍ  メリディオナル像面
ｄ  ｄ線
ｇ  ｇ線
ω  半画角
【図１】
0005389288.tif 000009
【図２】
0005389288.tif 000010
【図３】
0005389288.tif 000011
【図４】
0005389288.tif 000012
【図５】
0005389288.tif 000013
【図６】
0005389288.tif 000014
【図７】
0005389288.tif 000015
【図８】
0005389288.tif 000016
【図９】
0005389288.tif 000017
【図１０】
0005389288.tif 000018
【図１１】
0005389288.tif 000019
【図１２】
0005389288.tif 000020
【図１３】
0005389288.tif 000021
【図１４】
0005389288.tif 000022
【図１５】
0005389288.tif 000023
【図１６】
0005389288.tif 000024
【図１７】
0005389288.tif 000025
【図１８】
0005389288.tif 000026
【図１９】
0005389288.tif 000027
【図２０】
0005389288.tif 000028
【図２１】
0005389288.tif 000029
【図２２】
0005389288.tif 000030
【図２３】
0005389288.tif 000031
【図２４】
0005389288.tif 000032
【図２５】
0005389288.tif 000033
【図２６】
0005389288.tif 000034
【図２７】
0005389288.tif 000035
【図２８】
0005389288.tif 000036
【図２９】
0005389288.tif 000037